(57)【要約】【課題】磁場の測定感度を向上させる。【解決手段】磁場測定装置１は、円偏光により励起される原子を内部に有する複数のセル１２を備える。駆動制御部２１は、コイル駆動部２０を制御して、センサーユニット１０が有する第１のセル１２に対し、測定対象物６０から発生する対象磁場と逆向きの磁場が供給されるタイミングと、第１のセルから見て予め決められた範囲内にあるセルのうち少なくとも１つの第２のセルに対し当該磁場が供給されるタイミングとを異ならせる。【選択図】図１
2011242324.tif 000002
【特許請求の範囲】
【請求項１】
円偏光により励起される原子を内部に有する複数のセルと、
測定対象から発生する対象磁場と逆向きの第１の磁場を前記セルに供給する第１の磁場供給部を制御して、前記複数のセルに含まれる第１のセルに当該第１の磁場が供給されるタイミングと、当該第１のセルから見て予め決められた範囲内にあるセルのうち少なくとも１つの第２のセルに当該第１の磁場が供給されるタイミングとを異ならせる制御手段と
を備えることを特徴とするセルユニット。
【請求項２】
前記制御手段は、各々の前記セルにそれぞれ異なるタイミングで前記第１の磁場が供給されるように前記制御を行う
ことを特徴とする請求項１に記載のセルユニット。
【請求項３】
前記制御手段は、前記第１のセルに前記第１の磁場が供給されるタイミングと、当該第１のセルと隣り合うセルに前記第１の磁場が供給されるタイミングとを異ならせる
ことを特徴とする請求項１に記載のセルユニット。
【請求項４】
前記複数のセルは、マトリックス状に配置されており、
前記制御手段は、前記複数のセルのうち第１の列に沿って配置されたセルに前記第１の磁場が供給されるタイミングと、当該第１の列と隣り合う第２の列に沿って配置されたセルに前記第１の磁場が供給されるタイミングとを異ならせる
ことを特徴とする請求項１に記載のセルユニット。
【請求項５】
前記複数のセルは、マトリックス状に配置されており、
前記制御手段は、前記複数のセルのうち第１の行に沿って配置されたセルに前記第１の磁場が供給されるタイミングと、当該第１の行と隣り合う第２の行に沿って配置されたセルに前記第１の磁場が供給されるタイミングとを異ならせる
ことを特徴とする請求項１に記載のセルユニット。
【請求項６】
前記制御手段は、円偏光の成分を有するポンプ光を前記セルに照射する照射部を制御して、前記第１のセルに当該ポンプ光が供給されるタイミングと、前記第２のセルに当該ポンプ光が供給されるタイミングとを異ならせる
ことを特徴とする請求項１に記載のセルユニット。
【請求項７】
前記制御手段は、前記原子内の電子の回転周波数をラーモア周波数に合わせる第２の磁場を前記セルに供給する第２の磁場供給部を制御して、前記第１のセルに当該第２の磁場が供給されるタイミングと、前記第２のセルに当該第２の磁場が供給されるタイミングとを異ならせる
ことを特徴とする請求項１又は６に記載のセルユニット。
【請求項８】
請求項１から７のいずれかに記載のセルユニットと、
前記セル毎に設けられたコイルに電流を供給することにより、前記セルに前記第１の磁場を供給する第１の磁場供給部と、
前記コイルに供給された電流を磁場に換算し、前記対象磁場の磁場レベルを検出する検出部と、
円偏光の成分を有するポンプ光を前記セルに照射して、前記原子を励起させる照射部と、
前記原子内の電子の回転周波数をラーモア周波数に合わせる第２の磁場を前記セルに供給する第２の磁場供給部と
を備えることを特徴とする磁場測定装置。
【発明の詳細な説明】
【技術分野】
【０００１】
本発明は、磁場を測定する技術に関する。
【背景技術】
【０００２】
光ポンピングを利用した光ポンピングセンサーを、脳磁（脳からの磁気）や心磁（心臓からの磁気）などの微弱な磁場の測定に利用することが考えられている。例えば、非特許文献１には、光ポンピングセンサーで使用されるセルをアレイ化して、広い面積の磁場を測定する技術が記載されている。
【先行技術文献】
【非特許文献】
【０００３】
【非特許文献１】G. Bison, N. Castagna, A. Hofer, P. Knowles, J.-L. Schenker, and A. Weis, “A room temperature 19-channel magnetic field imaging device for cardiac signals,”June 29, 2009
【発明の概要】
【発明が解決しようとする課題】
【０００４】
ところで、非特許文献１に記載された技術のように、同一平面上に複数のセルを並べ、これらのセルに対し同じタイミングでポンプ光や磁場を供給すると、近接したセルに印加される磁場の干渉又は近接したセルに照射される光の干渉により、近接するセル間でクロストークが発生してしまう。このクロストークは、磁場の測定感度を低下させる原因となる。
本発明は、磁場の測定感度を向上させることを目的とする。
【課題を解決するための手段】
【０００５】
本発明に係るセルユニットは、円偏光により励起される原子を内部に有する複数のセルと、測定対象から発生する対象磁場と逆向きの第１の磁場を前記セルに供給する第１の磁場供給部を制御して、前記複数のセルに含まれる第１のセルに当該第１の磁場が供給されるタイミングと、当該第１のセルから見て予め決められた範囲内にあるセルのうち少なくとも１つの第２のセルに当該第１の磁場が供給されるタイミングとを異ならせる制御手段とを備えることを特徴とする。この構成によれば、磁場の測定感度を向上させることができる。
【０００６】
前記セルユニットにおいて、前記制御手段は、各々の前記セルにそれぞれ異なるタイミングで前記第１の磁場が供給されるように前記制御を行ってもよい。この構成によれば、磁場の測定感度をより向上させることができる。
【０００７】
前記セルユニットにおいて、前記制御手段は、前記第１のセルに前記第１の磁場が供給されるタイミングと、当該第１のセルと隣り合うセルに前記第１の磁場が供給されるタイミングとを異ならせてもよい。この構成によれば、磁場の測定感度をより向上させることができる。
【０００８】
前記セルユニットにおいて、前記複数のセルは、マトリックス状に配置されており、前記制御手段は、前記複数のセルのうち第１の列に沿って配置されたセルに前記第１の磁場が供給されるタイミングと、当該第１の列と隣り合う第２の列に沿って配置されたセルに前記第１の磁場が供給されるタイミングとを異ならせてもよい。この構成によれば、第１の光の照射又は第１の磁場の供給の制御を列毎に行うことができる。
【０００９】
前記セルユニットにおいて、前記複数のセルは、マトリックス状に配置されており、前記制御手段は、前記複数のセルのうち第１の行に沿って配置されたセルに前記第１の磁場が供給されるタイミングと、当該第１の行と隣り合う第２の行に沿って配置されたセルに前記第１の磁場が供給されるタイミングとを異ならせてもよい。この構成によれば、第１の光の照射又は第１の磁場の供給の制御を行毎に行うことができる。
【００１０】
前記セルユニットにおいて、前記制御手段は、円偏光の成分を有するポンプ光を前記セルに照射する照射部を制御して、前記第１のセルに当該ポンプ光が供給されるタイミングと、前記第２のセルに当該ポンプ光が供給されるタイミングとを異ならせてもよい。この構成によれば、近接するセル間におけるポンプ光の干渉をも防ぐことができる。
【００１１】
前記セルユニットにおいて、前記制御手段は、前記原子内の電子の回転周波数をラーモア周波数に合わせる第２の磁場を前記セルに供給する第２の磁場供給部を制御して、前記第１のセルに当該第２の磁場が供給されるタイミングと、前記第２のセルに当該第２の磁場が供給されるタイミングとを異ならせてもよい。この構成によれば、近接するセル間における第２の磁場の干渉をも防ぐことができる。
【００１２】
本発明に係る磁場測定装置は、前記セルユニットのいずれかと、前記セル毎に設けられたコイルに電流を供給することにより、前記セルに前記第１の磁場を供給する第１の磁場供給部と、前記コイルに供給された電流を磁場に換算し、前記対象磁場の磁場レベルを検出する検出部と、円偏光の成分を有するポンプ光を前記セルに照射して、前記原子を励起させる照射部と、前記原子内の電子の回転周波数をラーモア周波数に合わせる第２の磁場を前記セルに供給する第２の磁場供給部とを備えることを特徴とする。この構成によれば、磁場の測定感度を向上させることができる。
【図面の簡単な説明】
【００１３】
【図１】実施形態に係る磁場測定装置の構成を示す図
【図２】センサーユニットの構成を示す斜視図
【図３】磁場測定装置の動作を説明する図
【図４】セルを縦一列ずつ有効にする動作を説明する図
【図５】セルを１つ置きに有効にする動作を説明する図
【図６】多層化されたセンサーユニットの構成を示す図
【発明を実施するための形態】
【００１４】
図１は、実施形態に係る磁場測定装置１の構成を示す図である。磁場測定装置１は、例えば心磁や脳磁などの生体から発生する微弱な磁場の測定に用いられる。磁場測定装置１は、センサーユニット１０と、コイル駆動部２０、４０と、駆動制御部２１、４１と、照射部３０と、照射制御部３１と、検出部５０とを備える。磁場測定装置１は、測定対象物６０から発生する対象磁場の中にセンサーユニット１０が位置するように配置される。
【００１５】
図２は、センサーユニット１０の構成を示す斜視図である。センサーユニット１０は、基板１１と、複数のセル１２とを備える。基板１１上には、複数のセル１２がマトリックス状に配置される。なお、図１では、センサーユニット１０の中にセル１２が一つだけ示されているが、実際には図２に示すように、センサーユニット１０には、複数のセル１２が設けられる。また、センターユニット１０に含まれる複数のセル１２は、同一平面にあればよく、必ずしも基板１１上に配置されていなくてもよい。セル１２は、中空の球体の形状をしており、ガラス等の光を透過する材料で形成されている。なお、セル１２の形状は、他の形状であってもよい。
【００１６】
セル１２の内部には、原子が封入されている。この原子は、例えばアルカリ金属の原子であり、気体の状態（すなわちガス状態）でセル１２内に封入されている。このアルカリ金属は、例えばリチウム（Ｌｉ）、ナトリウム（Ｎａ）、カリウム（Ｋ）、ルビジウム（Ｒｂ）、セシウム（Ｃｓ）、フランシウム（Ｆｒ）である。セル１２内の原子は、円偏光により励起されて原子の外殻電子のスピンが偏極される。なお、セル１２の内部には、典型的には単一種類のアルカリ金属の原子が封入されるが、複数種類のアルカリ金属の原子が含まれてもよい。また、セル１２内の原子は、常に気体の状態である必要はなく、磁場の測定を行うときに気体の状態であればよい。さらに、セル１２の内部には、セル１２の壁との衝突等によるアルカリ金属の原子の緩和を穏やかにするために、ヘリウム（Ｈｅ）、窒素（Ｎ）などが緩衝ガスとして含まれていてもよい。
【００１７】
各セル１２の上下には、１対のフィードバックコイル１３が設けられる。図１に示すコイル駆動部２０は、フィードバックコイル１３に電流を供給してフィードバックコイル１３を駆動する。つまり、コイル駆動部２０は、フィードバックコイル１３と協働することにより、セル１２に磁場を供給する第１の磁場供給部として機能する。駆動制御部２１は、コイル駆動部２０の駆動対象と駆動タイミングを制御する。フィードバックコイル１３が駆動すると、測定対象物６０が発する対象磁場と逆向きで且つ同じレベルの磁場（第１の磁場の一例）が発生する。
【００１８】
各セル１２の側面には、一対のｒｆコイル１４が設けられる。図１に示すコイル駆動部４０は、ｒｆコイル１４に電流を供給してｒｆコイル１４を駆動する。つまり、コイル駆動部４０は、ｒｆコイル１４と協働することにより、セル１２に磁場を供給する第２の磁場供給部として機能する。駆動制御部４１は、コイル駆動部４０の駆動対象と駆動タイミングを制御する。ｒｆコイル１４の駆動により発生する磁場（第２の磁場の一例）は、セル１２内の原子における電子の回転周波数をラーモア周波数に合わせる働きをする。このラーモア周波数とは、磁気共鳴が起こる周波数のことである。
【００１９】
照射部３０は、円偏光成分を有するポンプ光を、測定対象物６０が発する対象磁場の向きに対し４５度傾いた方向からセル１２に照射する。照射部３０は、各セル１２を個別に照射することができる。これは、例えば照射部３０にセル１２と同じ数の光源を設け、これらの光源の点灯を制御することにより実現することができる。又は、照射部３０から照射されたポンプ光を、ビームスプリッターなどを使って分光するとともに、シャッターなどの開閉部材を用いてポンプ光の入射を制御することにより実現してもよい。照射制御部３１は、ポンプ光の照射対象と照射タイミングを制御する。
【００２０】
検出部５０は、フィードバックコイル１３の駆動のためにコイル駆動部２０が使用した電流を磁場に換算することにより、測定対象物６０から発生する対象磁場の磁場レベルを検出する。
【００２１】
次に、図３を参照して、磁場測定装置１の動作について説明する。磁場測定装置１は、セル１２ａ〜１２ｉを一つずつ順番に測定可能な状態にして、磁場の測定を行う。以下の説明では、セル１２を測定可能な状態にすることを「セル１２を有効にする」という。例えば、セル１２ａを有効にする場合、照射制御部３１は、ポンプ光がセル１２ａに照射されるように照射部３０を制御する。照射部３０は、照射制御部３１の制御に従って、セル１２ａにポンプ光を照射する。これにより、セル１２ａ内の原子は励起状態となる。
【００２２】
また、駆動制御部４１は、ｒｆコイル１４ａが駆動されるようにコイル駆動部４０を制御する。コイル駆動部４０は、駆動制御部４１の制御に従って、ｒｆコイル１４ａを駆動する。これにより、セル１２ａ内の原子の電子の回転周波数がラーモア周波数に合わせられる。さらに、駆動制御部２１は、フィードバックコイル１３ａが駆動されるようにコイル駆動部２０を制御する。コイル駆動部２０は、駆動制御部２１の制御に従って、フィードバックコイル１３ａを駆動する。このとき、駆動制御部２１は、測定対象物６０が発する磁場と逆向きで且つ同じレベルの磁場をフィードバックコイル１３ａから発生させ、セル１２ａ内の磁場を一定のレベルに戻す。なお、これは、照射部３０から照射されるポンプ光の出力レベルを一定に保つことにより実現される。
【００２３】
検出部５０は、フィードバックコイル１３ａを駆動させるために使用された電流を磁場へ換算する。検出部５０により換算された磁場は、測定対象物６０から発生する対象磁場に応じた大きさを有する。よって、検出部５０は、換算した磁場に基づき、測定対象物６０から発生する対象磁場の磁場レベルを検出することができる。以上の動作により、測定対象物６０から発生する対象磁場のうち、セル１２ａが位置する領域の対象磁場のみが測定される。
【００２４】
続いて、磁場測定装置１は、上述と同様にして次のセル１２ｂを有効にする。このようにして、磁場測定装置１は、セル１２ａ〜１２ｉを一つずつ順番に有効にして、対象磁場の測定を行う。これにより、各セル１２が位置する領域の対象磁場の測定結果が作成される。磁場測定装置１は、セル１２の配置に従ってこれらの計測結果をつなぎ合わせ、測定対象物６０全体の対象磁場の測定結果を作成する。
【００２５】
なお、セル１２を有効にする順番は、どのような順番であってもよい。例えば、セル１２ａ、１２ｂ、１２ｃ・・・のように、セル１２の配列に沿った順番であってもよいし、隣り合うセル１２が連続して有効にならないような順番であってもよい。また、セル１２ａ以外のセル１２が最初に有効にされてもよい。要するに、磁場測定装置１は、セル１２ａ〜１２ｉをそれぞれ異なるタイミングで有効にすればよい。この場合、照射制御部３１は、セル１２ａ〜セル１２ｉにそれぞれ異なるタイミングでポンプ光が供給されるように照射部３０を制御する。また、駆動制御部４１は、セル１２ａ〜セル１２ｉにそれぞれ異なるタイミングで磁場が供給されるようにコイル駆動部４０を制御する。さらに、駆動制御部２１は、セル１２ａ〜セル１２ｉにそれぞれ異なるタイミングで磁場が供給されるようにコイル駆動部２０を制御する。
【００２６】
上述した実施形態によれば、近接するセル１２に設けられたフィードバックコイル１３及びｒｆコイル１４が同時に動作しないため、近接するセル１２間における磁場の干渉によるクロストークの発生を防ぐことができる。また、近接するセル１２に同時にポンプ光が照射されないため、近接するセル１２間における光の干渉によるクロストークの発生を防ぐことができる。これにより、クロストークの影響を補正するために行われていた計測データの補正処理が不要になり、装置の構成の簡略化および測定精度の向上が可能となる。
【００２７】
［変形例］
本発明は、上述した実施形態に限定されるものではなく、以下のように変形させて実施してもよい。また、以下の変形例を組み合わせてもよい。
【００２８】
磁場測定装置１は、図４に示すように、セル１２を一列ずつ有効にしてもよい。なお、ここでいう列とは、図４における縦方向の並びのことである。例えば、縦列Ｌ１のセル１２ａ、１２ｄ、・・・、１２ｇを有効にする場合、照射制御部３１は、セル１２ａ、１２ｄ、・・・、１２ｇにポンプ光が照射されるように照射部３０を制御する。また、駆動制御部４１は、縦列Ｌ１のｒｆコイル１４ａ、１４ｄ、・・・、１４ｇが駆動されるようにコイル駆動部４０を制御する。そして、駆動制御部２１は、縦列Ｌ１のフィードバックコイル１３ａ、１３ｄ、・・・、１３ｇが駆動されるようにコイル駆動部２０を制御する。これにより、磁場測定装置１は、縦列Ｌ１のセル１２ａ、１２ｄ、・・・、１２ｇが位置する領域の対象磁場を測定することができる。続いて、磁場測定装置１は、上述と同様にして次の縦列のセル１２を有効にする。このようにして、磁場測定装置１は、セル１２ａ〜１２ｉを縦一列ずつ順番に有効にして、対象磁場の測定を行う。
【００２９】
同様にして、磁場測定装置１は、セル１２を一行ずつ有効にしてもよい。なお、ここでいう行とは、図４における横方向の並びのことである。また、磁場測定装置１は、セル１２を一列又は一行置きに有効にしてもよい。つまり、磁場測定装置１は、第１の列に沿って配置されたセル１２が有効になるタイミングと、第１の列と隣り合う第２の列に沿って配置されたセル１２が有効になるタイミングとを異ならせ、又は、第１の行に沿って配置されたセル１２が有効になるタイミングと、第１の行と隣り合う第２の行に沿って配置されたセル１２が有効になるタイミングとを異ならせてもよい。この場合、照射制御部３１は、照射部３０を制御して、第１の列に沿って配置されたセル１２にポンプ光が供給されるタイミングと、第２の列に沿って配置されたセル１２にポンプ光が供給されるタイミングとを異ならせ、又は、第１の行に沿って配置されたセル１２にポンプ光が供給されるタイミングと、第２の行に沿って配置されたセル１２にポンプ光が供給されるタイミングとを異ならせる。また、駆動制御部４１は、コイル駆動部４０を制御して、第１の列に沿って配置されたセル１２に磁場が供給されるタイミングと、第２の列に沿って配置されたセル１２に磁場が供給されるタイミングとを異ならせ、又は、第１の行に沿って配置されたセル１２に磁場が供給されるタイミングと、第２の行に沿って配置されたセル１２に磁場が供給されるタイミングとを異ならせる。さらに、駆動制御部２１は、コイル駆動部２０を制御して、第１の列に沿って配置されたセル１２に磁場が供給されるタイミングと、第２の列に沿って配置されたセル１２に磁場が供給されるタイミングとを異ならせ、又は、第１の行に沿って配置されたセル１２に磁場が供給されるタイミングと、第２の行に沿って配置されたセル１２に磁場が供給されるタイミングとを異ならせる。
【００３０】
磁場測定装置１は、図５に示すようにセル１２を一つ置きに有効にしてもよい。例えば、図５において網掛けが施されたセル１２ａ、１２ｃ、１２ｅ、１２ｇ、・・・、１２ｉを有効にする場合、照射制御部３１は、これらのセル１２にポンプ光が照射されるように照射部３０を制御する。また、駆動制御部４１は、フィードバックコイル１４ａ、１４ｃ、１４ｅ、１４ｇ、・・・、１４ｉが駆動されるようにコイル駆動部４０を制御する。さらに、駆動制御部２１は、フィードバックコイル１３ａ、１３ｃ、１３ｅ、１３ｇ、・・・、１３ｉが駆動されるようにコイル駆動部２０を制御する。これにより、磁場測定装置１は、図５において網掛けが施されたセル１２が位置する領域の対象磁場を測定することができる。続いて、磁場測定装置１は、上述と同様の動作により、図において網掛けが施されていないセル１２ｂ、１２ｄ、１２ｆ、・・・、１２ｈを有効にして、対象磁場の測定を行う。
【００３１】
なお、網掛けが施されていないセル１２が先に有効にされて、網掛けが施されたセル１２が次に有効にされてもよい。つまり、磁場測定装置１は、第１のセル１２が有効になるタイミングと、第１のセル１２と隣り合うセル１２が有効になるタイミングとを異ならせてもよい。この場合、照射制御部３１は、照射部３０を制御して、第１のセル１２にポンプ光が供給されるタイミングと、第１のセル１２と隣り合うセル１２にポンプ光が供給されるタイミングとを異ならせる。また、駆動制御部４１は、コイル駆動部４０を制御して、第１のセル１２に磁場が供給されるタイミングと、第１のセル１２と隣り合うセル１２に磁場が供給されるタイミングとを異ならせる。さらに、磁場測定装置１の駆動制御部２１は、コイル駆動部２０を制御して、第１のセル１２に磁場が供給されるタイミングと、第１のセル１２と隣り合うセル１２に磁場が供給されるタイミングとを異ならせる。
【００３２】
磁場測定装置１が行う磁場の制御又はポンプ光の制御は、上述した態様に限らない。磁場測定装置１は、センサーユニット１０に含まれる第１のセル１２を有効にするタイミングと、この第１のセル１２から見て予め決められた範囲内にあるセル１２のうち少なくとも１つの第２のセル１２を有効にするタイミングとを異ならせればよい。この場合、照射制御部３１は、照射部３０を制御して、第１のセル１２にポンプ光が供給されるタイミングと、第２のセル１２にポンプ光が供給されるタイミングとを異ならせる。また、駆動制御部４１は、コイル駆動部４０を制御して、第１のセル１２に磁場が供給されるタイミングと、第２のセル１２に磁場が供給されるタイミングとを異ならせる。さらに、駆動制御部２１は、コイル駆動部２０を制御して、第１のセル１２に磁場が供給されるタイミングと、第２のセル１２に磁場が供給されるタイミングとを異ならせる。この予め決められた範囲は、磁場又はポンプ光の干渉範囲に基づいて決められればよい。
【００３３】
照射制御部３１は、センサーユニット１０に含まれる全てのセル１２に同時にポンプ光が照射されるように照射部３０を制御してもよい。また、駆動制御部４１は、センサーユニット１０に含まれる全てのセル１２に設けられたｒｆコイル１４を同時に駆動させるようにコイル駆動部４０を制御してもよい。要するに、磁場測定装置１は、ポンプ光の照射、フィードバックコイル１３の駆動、ｒｆコイル１４の駆動の制御のうち、少なくともフィードバックコイル１３の駆動を制御すればよい。つまり、磁場測定装置１では、駆動制御部２１、駆動制御部４１、照射制御部３１のうち、少なくとも駆動制御部２１が制御手段として機能する。
【００３４】
センサーユニット１０は、図６に示すように多層化されていてもよい。この場合、上下に近接するセル１２間においてもクロストークが起こり得る。従って、磁場測定装置１は、例えば上下に近接するセル１２が同時に有効にならないようにフィードバックコイル１３の駆動やポンプ光の照射、ｒｆコイル１４の駆動を制御してもよい。
【００３５】
セル１２に入射されるポンプ光は、出射されてからセルに入射するまでの進行方向が一定である必要はない。つまり、ポンプ光は、セル１２に入射するときに所定の方向になっていればよく、途中でミラー等によって反射され、進行方向が変更されてもよい。したがって、例えば、光の照射位置や検出位置を１箇所に集中させることも可能である。
【００３６】
磁場測定装置１は、検出部５０の検出結果を外部装置（表示装置、コンピューター装置など）に出力してもよい。又は、磁場測定装置１は、検出部５０の検出結果を可視化して、表示する手段を備えてもよい。
【００３７】
磁気測定装置１の一部がユニットとして提供されてもよい。例えば、磁気測定装置１のセンサーユニット１０と駆動制御部２１とがセルユニットとして提供されてもよい。また、このセルユニットには、照射制御部３１や駆動制御部４１が含まれていてもよい。
【００３８】
磁場測定装置１の駆動制御部２１、駆動制御部４１、照射制御部３１の機能は、１つのハードウェアにより実現されてもよいし、複数のハードウェアにより実現されてもよい。また、これらの機能は、ＣＰＵが１又は複数のプログラムを実行することにより実現されてもよい。このプログラムは、磁気テープや磁気ディスクなどの磁気記録媒体、光ディスクなどの光記録媒体、光磁気記録媒体、半導体メモリーなどの、コンピューターが読み取り可能な記録媒体に記憶された状態で提供されてもよい。また、このプログラムは、インターネットなどの通信回線経由でダウンロードされることにより提供されてもよい。
【符号の説明】
【００３９】
１…磁場測定装置、１０…センサーユニット、２０、４０…コイル駆動部、２１、４１…駆動制御部、３０…照射部、３１…照射制御部、５０…検出部。
【図１】
2011242324.tif 000003
【図２】
2011242324.tif 000004
【図３】
2011242324.tif 000005
【図４】
2011242324.tif 000006
【図５】
2011242324.tif 000007
【図６】
2011242324.tif 000008